(57)【要約】【課題】ユーザが見ていない放送データ中に、条件に一致するデータがある場合に、ユーザに対して適切な方法でこれを掲示する事を可能とした。【解決手段】放送データ受信装置１００において、ユーザに対して出力対象とならない放送データは、データ抽出部２１０により抽出され、条件判断部２２０で特定の条件に一致するか判断される。その結果、ユーザに掲示すべきと判断されると、掲示方法判定部４１０が、掲示用ハードウェア状態とどのデータをユーザに掲示しているかの状態とを判断し、適切な掲示方法を決定しこれに基づいてユーザへの掲示が行われる。更に、必要に応じ、掲示方法変換部４２０によるデータ形式の変換や、掲示タイミング判断部４３０によるタイミング制御が行われる。【選択図】      図１
2008085521.tif 000002
【特許請求の範囲】
【請求項１】
受信した放送データの少なくとも一部を掲示する放送データ受信装置において、
ユーザに非掲示状態の放送データの中に、予め設定した条件に合致するデータが存在する場合に、これを掲示すべき放送データとして検出し、
その時のデータ掲示用ハードウェアの状態とデータ掲示状態とを判断して、前記掲示すべき放送データの掲示方法を決定し、
その決定された掲示方法に基づき、前記掲示すべき放送データを掲示することを特徴とする放送データ受信装置におけるデータ掲示方法。
【請求項２】
前記掲示すべき放送データを掲示すべきタイミングを更に判定し、決定されたタイミングに従い掲示を実行することを特徴とする請求項１記載の放送データ受信装置におけるデータ掲示方法。
【請求項３】
決定された前記掲示方法に適合するように、前記検出された掲示すべき放送データの形態を変換することを特徴とする請求項１乃至２の何れか１つに記載の放送データ受信装置におけるデータ掲示方法。
【請求項４】
既にユーザに掲示中の放送データに重畳して、前記掲示すべき放送データを掲示することを特徴とする請求項１乃至３の何れか１つに記載の放送データ受信装置におけるデータ掲示方法。
【請求項５】
通信網から前記放送データ以外の通信データを送受信し、
前記放送データと前記通信データとを切り替えて掲示することを特徴とする請求項１記載の放送データ受信装置におけるデータ掲示方法。
【請求項６】
受信した前記放送データを一旦蓄積し、蓄積した放送データを再生する際に、さらに放送データの受信を行うことを特徴とする請求項１記載の放送データ受信装置におけるデータ掲示方法。
【請求項７】
ユーザに非掲示状態の放送データ中のイベントメッセージに、予め設定された特定の文字列が含まれる場合に、掲示すべき放送データの検出とすることを特徴とする請求項１乃至６の何れか１つに記載の放送データ受信装置におけるデータ掲示方法。
【請求項８】
ユーザに非掲示状態の放送データ中にダウンロードコンテンツへのリンク情報が含まれる場合に、掲示すべき放送データの検出とすることを特徴とする請求項１乃至６の何れか１つに記載の放送データ受信装置におけるデータ掲示方法。
【請求項９】
受信した放送データの少なくとも一部を掲示する放送データ受信装置であって、
ユーザに非掲示状態の放送データの中に、予め設定した条件に合致するデータが存在する場合に、これを掲示すべき放送データとして検出する条件判断手段と、
この条件判断手段の検出時のデータ掲示用ハードウェアの状態とデータ掲示状態とを判断して、前記掲示すべき放送データの掲示方法を決定する掲示方法判定手段と、
を備え、前記掲示方法判定手段が決定した掲示方法に基づき、前記掲示すべき放送データを掲示することを特徴とする放送データ受信装置。
【請求項１０】
前記掲示すべき放送データを掲示すべきタイミングを更に判定する掲示タイミング判定手段を更に備え、この掲示タイミング犯提出団が決定したタイミングに従い掲示を実行することを特徴とする請求項１０記載の放送データ受信装置。
【請求項１１】
前記決定された掲示すべきデータの掲示方法に合うように、前記検出された掲示すべき放送データの形態を変換する掲示方法変換手段を更に備えたことを特徴とする請求項９乃至１０の何れか１つに記載の放送データ受信装置。
【請求項１２】
既にユーザに掲示中の放送データに重畳して、前記掲示すべき放送データを掲示することを特徴とする請求項９乃至１１の何れか１つに記載の放送データ受信装置。
【請求項１３】
通信網から前記放送データ以外の通信データを送受信する送受信手段を更に備え、
前記放送データと前記通信データとを切り替えて掲示することを特徴とする請求項９記載の放送データ受信装置。
【請求項１４】
受信した前記放送データを一旦蓄積する蓄積手段を更に備えたことを特徴とする請求項９記載の放送データ受信装置。
【請求項１５】
前記条件判断手段は、ユーザに非掲示状態の放送データ中のイベントメッセージに、予め設定された特定の文字列が含まれる場合に、掲示すべき放送データを検出したと判断することを特徴とする請求項９乃至１４の何れか１つに記載の放送データ受信装置。
【請求項１６】
前記条件判断手段は、ユーザに非掲示状態の放送データ中にダウンロードコンテンツへのリンク情報が含まれる場合に、掲示すべき放送データを検出したと判断することを特徴とする請求項９乃至１４の何れか１つに記載の放送データ受信装置。
【発明の詳細な説明】
【技術分野】
【０００１】
本発明は、放送データ受信装置及び放送データ受信装置におけるデータ掲示方法に関する。
【背景技術】
【０００２】
従来、放送データ受信装置において、特定の情報をユーザに通知するための技術が提案されている。例えば、特開２００２−２６２１９２号公報（特許文献１）に開示の放送データ受信装置では、送信された緊急情報信号を検出分離して希望の映像音声信号（例えば、外部入力映像音声）に合成する手段を設けることで、その情報信号が放送された番組を視聴していなくても緊急情報を知ることが出来る。この緊急情報信号はリアルタイムで確認することも、ハードディスク等の記憶装置に一旦記憶したものを読み出して確認することも出来る。
【０００３】
又、特開２００４−３０４５６３号公報（特許文献２）では、電子機器内でバッテリー切れ等のイベントが発生した場合に、イヤホン接続有無や表示装置の開閉状況に応じてイベントの掲示方法を変更する技術が開示されている。
【０００４】
【特許文献１】特開２００２−２６２１９２号公報
【特許文献２】特開２００４−３０４５６３号公報
【発明の開示】
【発明が解決しようとする課題】
【０００５】
特許文献１に開示の装置においては、検出分離を希望する情報信号の種類を設定しておくことしか出来ない。更に、検出した情報信号についても、リアルタイムで見るか、蓄積したものを後で画面を切り替えて見ることしか出来ない。しかしながら、現在、この種の放送データ受信装置は、様々な形態や複合された機能を備え、かつ、様々なデータを受信処理している。このような、装置形態、機能、データ種類の多様化に応じて、ユーザにとって必要となる隠れた放送データを適切な形で提供することが必要である。ところが、特許文献１に開示の技術では、このような柔軟性に富んだ情報提供は不可能である。
【０００６】
例えば、放送データ受信機能を備えた折り畳み式の携帯端末装置を想定すると、装置を閉じた時にはメインディスプレイは見えない状態であるので、映像以外で放送データを掲示する必要がある。又、装置を開いた状態にあっても、ユーザは音声だけを聴取し、ディスプレイ画面は他のアプリケーションプログラムにより占有されている場合もあり得るが、この場合も放送データを画面に掲示出来ない。
【０００７】
又、受信した放送データのコンテンツの内の一部しかユーザに提供していない状況において、ユーザが受けていないコンテンツを用いないとコンテンツ全体を正しく認識できない状況があり得る。又、データ放送で様々な機能を提供しているが、データ放送画面を逐一表示しないと、どのようなデータ機能が提供されているか知ることが出来ず、有効にこれらの機能を活用出来ないため、ユーザとして不利益となる場合が考えられる。
【０００８】
このように、ユーザの使用状況に応じてユーザが必要とする放送データを柔軟的に掲示することは、従来の放送データ受信装置では不可能であった。尚、特許文献２に開示の技術は、単にハードウェアの状態を検出するに留まり、上述のような課題を解決するものではない。
【０００９】
本発明はこのような問題点に鑑みてなされたものである。本発明の目的は、放送データの一部をユーザに掲示している状況において、そのユーザが利用していない放送データの中で条件に合致するものが発生した場合に、装置の状況やデータ掲示状況に応じて適切な方法でその放送データを掲示し、ユーザの不利益を防止する事が可能な放送データ受信装置及び放送データ受信装置におけるデータ掲示方法を提供することにある。
【課題を解決するための手段】
【００１０】
本発明の放送データ受信装置におけるデータ掲示方法は、受信した放送データの少なくとも一部を掲示する放送データ受信装置において、ユーザに非掲示状態の放送データの中に、予め設定した条件に合致するデータが存在する場合に、これを掲示すべき放送データとして検出し、その時のデータ掲示用ハードウェアの状態とデータ掲示状態とを判断して、前記掲示すべき放送データの掲示方法を決定し、その決定された掲示方法に基づいて前記掲示すべき放送データを掲示することを特徴とする。
【００１１】
又、本発明の放送データ受信装置におけるデータ掲示方法において、前記掲示すべき放送データを掲示すべきタイミングを更に判定し、決定されたタイミングに従い掲示を実行するようにしても良い。
【００１２】
又、本発明の放送データ受信装置におけるデータ掲示方法において、決定された前記掲示方法に適合するように、前記検出された掲示すべき放送データの形態を変換するようにしても良い。
【００１３】
又、本発明の放送データ受信装置におけるデータ掲示方法において、既にユーザに掲示中の放送データに重畳して、前記掲示すべき放送データを掲示するようにしても良い。
【００１４】
又、本発明の放送データ受信装置におけるデータ掲示方法において、通信網から前記放送データ以外の通信データを送受信し、前記放送データと前記通信データとを切り替えて掲示するようにしても良い。
【００１５】
又、本発明の放送データ受信装置におけるデータ掲示方法において、受信した前記放送データを一旦蓄積し、蓄積した放送データを再生する際に、さらに放送データの受信を行うようにしても良い。
【００１６】
又、本発明の放送データ受信装置におけるデータ掲示方法において、ユーザに非掲示状態の放送データ中のイベントメッセージに、予め設定された特定の文字列が含まれる場合に、掲示すべき放送データの検出とするようにしても良い。
【００１７】
又、本発明の放送データ受信装置におけるデータ掲示方法において、ユーザに非掲示状態の放送データ中にダウンロードコンテンツへのリンク情報が含まれる場合に、掲示すべき放送データの検出とするようにしても良い。
【００１８】
本発明の放送データ受信装置は、受信した放送データの少なくとも一部を掲示する放送データ受信装置であって、ユーザに非掲示状態の放送データの中に、予め設定した条件に合致するデータが存在する場合に、これを掲示すべき放送データとして検出する条件判断手段と、この条件判断手段の検出時のデータ掲示用ハードウェアの状態とデータ掲示状態とを判断して、前記掲示すべき放送データの掲示方法を決定する掲示方法判定手段と、を備え、前記掲示方法判定手段が決定した掲示方法に基づいて前記掲示すべき放送データを掲示することを特徴とする。
【００１９】
又、本発明の放送データ受信装置において、前記掲示すべき放送データを掲示すべきタイミングを更に判定する掲示タイミング判定手段を更に備え、この掲示タイミング犯提出団が決定したタイミングに従い掲示を実行するようにしても良い。
【００２０】
又、本発明の放送データ受信装置において、前記決定された掲示すべきデータの掲示方法に合うように、前記検出された掲示すべき放送データの形態を変換する掲示方法変換手段を更に備えても良い。
【００２１】
又、本発明の放送データ受信装置において、既にユーザに掲示中の放送データに重畳して、前記掲示すべき放送データを掲示するようにしても良い。
【００２２】
又、本発明の放送データ受信装置において、通信網から前記放送データ以外の通信データを送受信する送受信手段を更に備え、前記放送データと前記通信データとを切り替えて掲示するようにしても良い。
【００２３】
又、本発明の放送データ受信装置において、受信した前記放送データを一旦蓄積する蓄積手段を更に備えても良い。
【００２４】
又、本発明の放送データ受信装置において、前記条件判断手段は、ユーザに非掲示状態の放送データ中のイベントメッセージに、予め設定された特定の文字列が含まれる場合に、掲示すべき放送データを検出したと判断するようにしても良い。
【００２５】
又、本発明の放送データ受信装置において、前記条件判断手段は、ユーザに非掲示状態の放送データ中にダウンロードコンテンツへのリンク情報が含まれる場合に、掲示すべき放送データを検出したと判断するようにしても良い。
【発明の効果】
【００２６】
本発明は、ユーザに非掲示状態の放送データについて特定の条件に一致するかどうかを判断し、一致した場合には、その時の掲示用ハードウェア状態及びデータ掲示状態を判断して、適切な掲示方法で新たに掲示すべき放送データをユーザに対して掲示する。これにより、ユーザに掲示されていない部分の放送データに、ユーザが知りたいと考える内容が含まれていた場合でも、それをユーザに確実に伝えることができる。
【発明を実施するための最良の形態】
【００２７】
次に、本発明を実施するための最良の形態について図面を参照して詳細に説明する。図１は、本発明の第１実施形態の構成を示す機能ブロック図である。図１に示すように、放送データ受信装置１００は、制御部１１０と、放送受信部１２０と、操作入力部１３０と、放送データ処理部１４０と、出力制御部１５０と、表示出力部１６０と、音声出力部１７０と、データ抽出部２１０と、条件判断部２２０と、掲示方法判定部４１０と、掲示方法変換部４２０と、掲示タイミング判断部４３０と、出力合成部４４０とを備えている。更に、放送データ処理部１４０は、映像処理部１４１と、字幕処理部１４２と、データ放送処理部１４３と、音声処理部１４６と、番組情報処理部１４７と、制御情報処理部１４８とを含んでいる。更に、データ放送処理部１４３は、文字図形データ処理部１４４と、イベント処理部１４５とを含んでいる。又、掲示方法判定部４１０は、ハードウェア状態判断部４１１と、掲示状態判断部４１２とを含んでいる。
【００２８】
制御部１１０は、放送データ受信装置の各部を制御する制御手段であって、例えば、ＣＰＵ（Ｃｅｎｔｒａｌ  Ｐｒｏｃｅｓｓｉｎｇ  Ｕｎｉｔ）及びメモリ等で実現される。このメモリはＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等で構成され、ＣＰＵが処理を実行するためのプログラムや各種データの格納領域等を含んでいる。
【００２９】
放送受信部１２０は、図示されない放送網から放送データの受信を行う。受信アンテナを介して受信しても良いし、ケーブルで受信する方式でも良い。操作入力部１３０は、ユーザが情報を入力する為に設けられ、例えば、文字、数字及び方向等を入力するためのキー・スイッチ等が設けられている。
【００３０】
放送データ処理部１４０は、放送受信部１２０で受信した放送データを処理する為に、受信した放送データに含まれる様々なデータを処理する各処理部を含む。映像処理部１４１は、映像データを処理する。字幕処理部１４２は、字幕データを処理する。データ放送処理部１４３は、データ放送のデータを処理する。音声処理部１４６は、音声データを処理する。番組情報処理部１４７は、番組情報を処理する。制御情報処理部１４８は、放送データ全体の掲示を制御するための制御データを処理する。更に、データ放送処理部１４３において、文字図形データ処理部１４４は、文字や図形情報を処理し、イベント処理部１４５は、放送データに含まれるイベントメッセージ情報を処理する。
【００３１】
出力制御部１５０は、放送データ処理部１４０で処理されたデータのうち、どのデータを出力するかを制御する。例えば、放送データ処理部１４０での処理結果が映像データと音声データであった場合に、出力制御部１５０によって音声のみ出力する、又は、映像のみ出力するように制御する。
【００３２】
表示出力部１６０は、データの画面掲示（出力）を行う手段であって、放送データ処理部１４０によって処理された情報等を表示／再生する。この表示出力部１６０は、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイ等を含む。
【００３３】
音声出力部１７０は、音声の掲示（出力）を行う手段であって、放送データ処理部１４０によって処理された情報等を再生する。例えば、スピーカや、放送データ受信装置１００に着脱可能なイヤホン等を含む。
【００３４】
データ抽出部２１０は、放送データ処理部１４０において処理されたデータのうち、出力制御部１５０によって出力されない部分のデータを取得する手段である。例えば、放送データ処理部１４０での処理結果が、映像データ、音声データ及びデータ放送データであったときに、出力制御部１５０により映像データ及び音声データを出力するように制御が行われた場合には、データ抽出部２１０は、出力されなかったデータ放送データを抽出する。
【００３５】
条件判断部２２０は、データ抽出部２１０において抽出したデータが、予め設定した条件に一致するかどうかを判断する手段である。条件判断部２２０は、その判断結果を掲示方法判定部４１０に通知する。
【００３６】
図２及び図３は、条件判断部２２０における基本的判断例のフローを示すものである。図２は特定のイベントが発生したときの検出処理フローを示し、図３はダウンロードコンテンツが存在したときに検出するための処理フローを示している。図２及び図３の処理例は、それぞれ、データ抽出部２１０がデータ放送のデータを抽出した場合、即ち、ユーザへデータ放送データの掲示を行っていない場合を想定している。
【００３７】
図２では、上記状態のデータ放送処理部１４３において、イベント処理部１４５がイベントメッセージを受信処理した場合に（ステップＳ２１）、そのイベントメッセージに特定の文字列が含まれるかどうかを判定する（ステップＳ２２）。ここで、特定の文字列とは、例えば、「速報」や「緊急」といったような文字列としてもよい。ステップＳ２２において、特定の文字列を含むと判定した場合、特定イベントを検出したと判断し、特定イベント検出通知を行う（ステップＳ２３）。ここで、図２では、掲示方法判定部４１０への特定イベント検出通知により、特定イベント検出処理終了としているが、特定イベント検出処理を終了した後、更に特定イベント検出処理を繰り返すようにしてもよい。
【００３８】
一方、図３では、放送データ処理部１４０のデータ放送処理部１４３において処理したデータ放送のデータ（放送コンテンツ）内にダウンロードコンテンツのファイルが含まれていることをまず検出する（ステップＳ３１）。更に、データ放送コンテンツ内に、該当のデータに対するリンクが存在するかどうかを判定する（ステップＳ３２）。リンクが存在した場合には、ダウンロードコンテンツ検出通知を掲示方法判定部４１０に行う（ステップＳ３３）。条件判断部２２０における条件設定は、操作入力部１３０によりユーザが入力することが出来る。
【００３９】
掲示方法判定部４１０は、条件判断部２２０により掲示すべきと判断され通知（例えば、特定イベント検出、ダウンロードコンテンツ検出）を受けたデータについて、どのように掲示するかを判定する手段である。例えば、音声データとして掲示する、文字データとして掲示する、等の判断を行うものとしてもよい。掲示方法判定部４１０は、ハードウェア状態判断部４１１と、掲示状態判断部４１２とを備えている。
【００４０】
ハードウェア状態判断部４１１は、放送データ受信装置１００におけるデータ掲示用ハードウェアの状態を判断する手段である。例えば、ユーザが表示出力部１６０の状態を変化させることが出来る場合に、表示出力部１６０がユーザに視認可能な状態かどうかを放送データ受信装置１００が判断するようにすることが出来る。その例としては、表示出力部１６０に開閉可能な蓋が設けられている場合や、表示出力部１６０又は放送データ受信装置１００全体が折り畳み構造を有し、閉状態ではユーザが画面を視認出来ない場合等である。又、ハードウェア状態判断部４１１は、音声出力部１７０として、イヤホンを着脱可能とした装置であった場合に、イヤホンが接続されているか否かを判断するとしてもよい。
【００４１】
掲示状態判断部４１２は、放送データを現在どのように掲示しているかを判断する手段である。例えば、表示出力部１６０に関する判断例としては、放送データ処理部１４０が処理した放送データのうち、映像処理部１４１において処理した映像映像データのみを出力している状態、この映像データと字幕処理部１４２で処理した字幕データとの両方を出力している状態、等という判断である。又、音声出力部１７０に関する判断例としては、音声処理部１４６で処理した音声データを出力しているかどうか、といった判断を行うようにしてもよい。掲示方法判定部４１０は、ハードウェア状態判断部４１１と掲示状態判断部４１２のそれぞれの判断結果によって、放送データ受信装置１００においてどのような形態で放送データを出力することができるのかを判断することができる。
【００４２】
掲示方法変換部４２０は、掲示方法判定部４１０により判定された掲示方法が、条件判断部２２０によって掲示すべきと判断された放送データの形式と異なる場合に、この放送データを掲示方法判定部４１０により判定された掲示方法に合致するように変換を行う手段である。例えば、字幕データを音声出力部１７０に対して音声で出力する必要があると判断された場合には、この字幕データを音声に変換する。又、音声データを表示出力部１６０に出力する必要があると判断された場合には、この音声データを文字データに変換する。
【００４３】
掲示タイミング判断部４３０は、掲示方法変換部４２０までの段階で作成された掲示データをいつ出力するかを判断する手段である。例えば、掲示すべきデータが作成完了した時点で即時掲示を行うと判断することもできる。又、掲示すべき放送データがイベント処理部１４５で処理されるイベントを示すデータ放送データであった場合に、このイベントを含むデータ放送データの出現時から、文字図形データ処理部１４４において掲示するデータの切り替えが発生し、次のデータ放送コンテンツが掲示されるべきタイミングまで待って、掲示を行うように判断する、としてもよい。
【００４４】
出力合成部４４０は、放送データ処理部１４０で処理された放送データのうち、出力制御部１５０によって出力される放送データの一部と、掲示タイミング判断部４３０の出力とを合成して出力する手段である。即ち、出力制御部１５０において出力されなかった放送データのうち、データ抽出部２１０から掲示タイミング判定部４３０までによって掲示すべきと判断されたデータは、掲示すべきタイミングで、出力合成部４４０に出力されている。出力合成部４４０では、このデータと出力制御部１５０の出力データとを合成する。出力合成部４４０の動作として、例えば、出力制御部１５０からの出力データが音声データを含んでいた場合、掲示方法変換部４２０にて音声データに変換された放送データを合成して音声出力部１７０に出力するとしてもよい。この場合、両方の音声はそのまま足し合わせて出力するようにしてもよい。又、出力制御部１５０からの出力である音声データをより小さい音声にして、掲示すべき放送データを抽出した結果となる音声データが大きくなるようにしてから足し合わせて出力するようにしてもよい。又、出力制御部１５０からの出力データが映像データを含んだ場合で、掲示すべき放送データを抽出した結果となる放送データが、表示出力部１６０に対して出力すべきデータのとき（例えば、文字データ）、出力制御部１５０の映像データの表示領域を縮小して、掲示すべき文字データを残りの領域に表示するようにしてもよい。又、出力制御部１５０の映像データを縮小せずに、その上に重畳して掲示すべき文字データを表示するようにしてもよい。
【００４５】
尚、図１では、掲示方法変換部４２０の後段に掲示タイミング判断部４３０を設けているが、これには限定されない。例えば、掲示タイミング判断部４３０は、掲示方法変換部４２０の前段や、又、掲示方法判定部４１０の前段に設けても良い。
【００４６】
図４は、本発明の第１実施形態における掲示方法判定部４１０での判断フローの例を示している。ハードウェア状態判断部４１１において、放送データ受信装置１００のハードウェア状態を判断するにあたり、図４の例では、表示出力部１６０としてＬＣＤを想定し、音声出力部１７０としてスピーカー及びイヤホンを想定している。図４において、ＬＣＤに対しては「表示可能状態」と「表示不可状態」との２つの状態を、イヤホンに対しては「接続あり」と「接続なし」との２つの状態を、スピーカに対しては「出力可能状態」と「出力不可能状態」との２つの状態を、それぞれ有するものとしている。
【００４７】
ここで、ＬＣＤが表示可能状態であるか否かについては、例えば、ＬＣＤ設置面が放送データ受信装置１００の表面にあり、ユーザが視認できる状態が「表示可能状態」であり、蓋を閉じる又は装置を折り畳む等により、ユーザに見えない状態になる場合を「表示不可状態」とすることができる。スピーカについては、例えば、放送データ受信装置１００が１つ以上のスピーカーを備える場合、放送データの出力を想定するスピーカが放送データ受信装置１００の表面にあり、音声出力に適した状態にある場合を「出力可能状態」とし、放送データ受信装置１００を折り畳む等の結果、表面でない位置になることで音声出力に適さない状態にある場合を「出力不可状態」とすることができる。図４の例でハードウェア状態判断部４１１では、ＬＣＤが表示可能状態であり、かつ、イヤホンの接続がある状態であると判断したとする。
【００４８】
次に、掲示状態判断部４１２において、それぞれのハードウェアにおける掲示状態を判断する。ハードウェア状態判断部４１１によりデータ出力可能と判断したＬＣＤ及びイヤホンのそれぞれについて、出力制御部１５０の制御により放送データが出力中であるか否かを判断する。図４に示すように、ＬＣＤについては、放送データが掲示中であるか否か、又、掲示中の場合は、どのデータが掲示されているかによって更に場合分けすることができる。例えば、映像とデータ放送が掲示されているという判断ができる。
【００４９】
尚、掲示状態判断部４１２における判断は、出力制御部１５０において何を出力対象と判断しているのかという情報を制御部１１０を通じて取得し、これを考慮して判断結果を得るようにしてもよい。又、この判断は、出力制御部１５０によって出力対象としていない放送データの情報を、データ抽出部２１０によって得ることによって行われるようにしてもよい。
【００５０】
尚、図４の例では、表示出力部１６０及び音声出力部１７０の状態を判断したが、この他に、操作入力部１３０が操作可能かどうかという点を判断してもよい。又、同様に、放送受信部１２０での受信状況を判断するようにしてもよい。本実施形態によると、特定の条件の発生によって、受信した放送データのうちで出力する内容を制御する際、ハードウェア状態だけでなく、掲示状態の判断を行い、更に掲示すべき状態に合わせて掲示データの変換を行っている。その結果、今までは非掲示であったデータを、よりユーザの利用状況に合致した状態で掲示することができる。更に、掲示すべきタイミングの判断を行うことで、掲示すべきデータの発生タイミングと、該当データが有効になるタイミングとが異なる場合にも適切なタイミングでユーザにデータの提供ができる。
【００５１】
次に、本発明の第２実施形態について図面を参照して詳細に説明する。図５は、本発明の第２実施形態の構成を示す機能ブロック図である。図５において、図１に示した第１実施形態と同じ機能ブロックには同じ参照数字を付与して、重複する説明は省略する。
【００５２】
図５を参照すると、本発明の第２実施形態における放送データ受信装置６００は、図１に示したデータ処理装置１００と比較すると、送受信部６１０と、メールデータ処理部６２０と、表示切替部６３０とが追加されている。一方、図５では、図１の掲示方法変換部４２０及び出力合成部４４０は削除されている。又、図５において、掲示タイミング判断部４３０の出力は、出力制御部１５０に入力されている。以下に、各変更点についての説明を行う。
【００５３】
送受信部６１０は、図示しない通信網と接続され、データの授受を行う手段である。メールデータ処理部６２０は、電子メールの処理を行う手段である。メールデータ処理部６２０において、電子メールデータの送受信は送受信部６１０を介して実施され、操作入力作業は操作入力部１３０を用いて行われる。
【００５４】
表示切替部６３０は、表示出力部１６０における表示内容を切り替える処理を行う手段である。表示切替部６３０は、メールデータ処理部６２０で処理されたメールデータ、及び、放送データ処理部１４０で処理され出力制御部１５０によって出力データの制御を行われた放送データとに対して、どのように表示出力部１６０に掲示するかを制御する。例えば、表示出力部１６０の画面半分にメールデータを表示し、残りの半分に放送データを表示するように制御しても良い。又、表示サイズを変更して、メールデータの表示領域を拡大し、放送データの掲示領域を縮小するように制御しても良いし、画面全面にメールデータを掲示し、放送データの掲示を行わないように制御することも出来る。
【００５５】
図５において、出力制御部１５０は、掲示タイミング判断部４３０の出力を受けて制御内容を変更する。即ち、データ放送コンテンツの掲示を行うように制御をする。例えば、映像データと音声データのみを出力するように制御処理を行っていた場合に、検出通知をことにより、映像データと音声データに加えてデータ放送データを掲示するように制御する。又、別の制御例として、映像データを出力せずに、データ放送データと音声データを掲示するようにしても良い。
【００５６】
図６は、本発明の第２実施形態における掲示方法判定部４１０での判断フローの例を示している。第１実施形態における掲示方法判定部４１０での判断フローの例を示す図４と比較すると、掲示状態判断部４１２での判断フローが異なる。即ち、図６においては、放送データを掲示しているかの判断に加え、放送データ以外の放送外データ（メールデータ等）について掲示を行っているかについて更に場合分けして判断している。本実施形態においては、放送外データと放送データとを同時に掲示していると判断する場合もある。
【００５７】
尚、図５では放送以外のデータ（通信網からの通信データ）として電子メールのデータをメールデータ処理部６２０で処理する例で説明したが、これには限定されない。例えば、インターネットのウェブサイトを閲覧する為に通信データを処理するブラウザ処理部を設けても良い。これらは、放送データ処理装置に搭載された各種アプリケーションプログラム等で実現出来る。その場合、掲示状態判断部４１２での判断処理においては、この放送以外データを処理する処理部（アプリケーションプログラム）による掲示状態を含めて判断する。
【００５８】
更に、表示出力部１６０に掲示中のデータについて、それぞれがどの程度の領域を確保して掲示を行っているのかについても判断してもよい。本実施形態によると、放送とそれ以外のデータの処理を並行で行っている場合において、放送以外のデータの処理（例えば、メールの表示や作成）の為に放送データの一部の掲示を行っていないような場合においても、必要なタイミングで放送のデータを適切に掲示することができる。その為、複数の処理を同時に動作させている場合でも、ユーザが必要な情報を逃すことがない。
【００５９】
次に、本発明の第３実施形態について図面を参照して詳細に説明する。図７は、本発明の第３実施形態の構成を示す機能ブロック図である。図７において、第１実施形態（図１）や第２実施形態（図５）と同じ機能ブロックには同じ参照数字を付与して、重複する説明は省略する。
【００６０】
図７を参照すると、本発明の第３実施形態における放送データ受信装置８００は、制御部１１０と、放送受信部１２０と、操作入力部１３０と、放送データ処理部１４０と、出力制御部１５０と、表示出力部１６０と、音声出力部１７０と、データ抽出部２１０と、条件判断部２２０と、掲示方法判定部４１０と、掲示タイミング判断部４３０とを備えている。更に、データ処理装置８００には、第１及び２実施形態には無い蓄積部８１０が追加されている。
【００６１】
蓄積部８１０は、放送受信部１２０で受信した放送データを蓄積する手段であって、例えば、ハードディスク、内蔵メモリ、着脱可能な蓄積メディア等で実現出来る。放送データ処理部１４０は、放送受信部１２０及び蓄積部８１０のそれぞれからの放送データを入力とし、データ処理を行う。蓄積部８１０で蓄積した放送データと、放送受信部１２０で受信した放送データのうち、出力制御部１５０によってどのデータを出力対象とするか制御され、出力される。出力制御部１５０は、蓄積部８１０で蓄積した放送データと、放送受信部１２０で受信した放送データとを完全に切り替えて出力するとしてもよいし、一方の放送データの一部と他方の放送データの一部を出力するものとしてもよい。
【００６２】
尚、本実施形態では、出力制御部１５０にてどのデータを出力するかを制御するようにしたが、図１と同様に出力合成部４４０を出力制御部１５０の後段に設け、データを合成して出力するようにするとしてもよい。
【００６３】
本実施形態によると、受信した放送データを蓄積した放送データの再生を行う場合においても、現在放送されている放送データの再生が行われているか行われていないかに関わらず、掲示されていない内容に含まれる重要な情報をユーザが逃さずに済む。即ち、蓄積したデータの再生を行っているために、受信した放送データの一部又は全部の掲示を行っていないような場合においても、該当するデータを掲示できる最適な方法を選択して、必要なタイミングで放送のデータを適切に掲示することができる。その為に、蓄積したデータの再生を行っている場合でも、ユーザが必要な情報を逃すことがない。
【００６４】
本発明は、携帯電話機等の携帯端末装置で放送受信機能を有する装置にも適用出来る。そのような装置では、放送データの一部をユーザに掲示したうえで、電子メールやブラウザアプリケーション等の他のアプリケーションを同時に動作させる場合などに有効であるし、放送データ視聴中であっても、放送データの中に掲示されていない情報がある場合にも有効である。
【００６５】
図８は、本発明の各実施形態において表示出力部１６０に掲示される画面の一例を示す図である。図８（ａ）は、例えば本発明の第１実施形態において、通常の放送視聴処理動作を行っている状態を示す。条件判断部２２０にてダウンロードデータがあると判断され、掲示方法判定部４１０にて表示出力部１６０に対して出力すると判断され、更に、掲示タイミング判断部４３０にて、該当のダウンロードデータに対するリンクが示されるデータ放送データの掲示タイミングであると判断された場合に、図８（ｂ）のように、ユーザに掲示を切り替えるか問い合わせする表示を行う。ユーザが切り替えると判断した場合、図８（ｃ）のように、ダウンロードデータに対するリンクが示されるデータ放送データの掲示が行われる。  
尚、本発明は上述の実施形態のみに限定されるものではなく、本発明の要旨を逸脱しない範囲で種々変形して実施することが出来る。
【図面の簡単な説明】
【００６６】
【図１】本発明の第１実施形態の構成を示す機能ブロック図である。
【図２】本発明の第１実施形態における条件判断部の概要動作の一例を示すフローチャートである。
【図３】本発明の第１実施形態における条件判断部の概要動作の他の例を示すフローチャートである。
【図４】本発明の第１実施形態における掲示方法判定部の判断のフローを示す図である。
【図５】本発明の第２実施形態の構成を示す機能ブロック図である。
【図６】本発明の第２実施形態における掲示方法判定部の判断のフローを示す図である。
【図７】本発明の第３実施形態の構成を示す機能ブロック図である。
【図８】（ａ）、（ｂ）、（ｃ）は、本発明の各実施形態において、表示出力部に表示される表示画面の一例を示す図である。
【符号の説明】
【００６７】
１００    放送データ受信装置
１１０    制御部
１２０    放送受信部
１３０    操作入力部
１４０    放送データ処理部
１４１    映像処理部
１４２    字幕処理部
１４３    データ放送処理部
１４４    文字図形データ処理部
１４５    イベント処理部
１４６    音声処理部
１４７    番組情報処理部
１４８    制御情報処理部
１５０    出力制御部
１６０    表示出力部
１７０    音声出力部
２１０    データ抽出部
２２０    条件判断部
４１０    掲示方法判定部
４１１    ハードウェア状態判断部
４１２    掲示状態判断部
４２０    掲示方法変換部
４３０    掲示タイミング判断部
４４０    出力合成部
６００    放送データ受信装置
６１０    送受信部
６２０    メールデータ処理部
６３０    表示切替部
８００    放送データ受信装置
８１０    蓄積部
【図１】
2008085521.tif 000003
【図２】
2008085521.tif 000004
【図３】
2008085521.tif 000005
【図４】
2008085521.tif 000006
【図５】
2008085521.tif 000007
【図６】
2008085521.tif 000008
【図７】
2008085521.tif 000009
【図８】
2008085521.tif 000010